(57)【要約】      （修正有） 【課題】参加者がプロフィール情報のみを相手に伝え、かつ、特定の相手に対してのみ任意に自分の実名を開示することができる、パーティ用コミュニケーションカードセットを提供する。【解決手段】氏名を除く個人情報を記入する情報記入欄と自分の識別番号欄を有することを特徴とする自己紹介カードと、自己紹介を受けた相手方に対する意識を既定の文言を選択することにより回答できる回答欄と自分の識別番号欄、自分の実名を任意に記入できる氏名欄を有することを特徴とする回答カードと、及び交換したカードを投入して保持できる保持具によりパーティ用コミュニケーションカードセットを形成する。【選択図】図１
0003162554.tif 000002
【実用新案登録請求の範囲】
【請求項１】
異性との出会いを目的とする異性交流パーティにおいて、使用者が異性のパーティ参加者に提示又は交換するための自己紹介カードであって、使用者が氏名を除く自己の個人情報を記入するための情報記入欄と、自己の識別番号を記入するための番号欄を有することを特徴とする自己紹介カード。
【請求項２】
異性との出会いを目的とする異性交流パーティにおいて、自己紹介を受けた異性のパーティ参加者に対して使用者が意思表示の手段として渡すための回答カードであって、相手方に対する使用者の意識を表示できる回答欄と、自己の識別番号を記入するための番号欄と、使用者が任意に自己の氏名を記入できる氏名記入欄とを有することを特徴とする回答カード。
【請求項３】
異性との出会いを目的とする異性交流パーティにおいて、参加者が使用するコミュニケーションカードセットであって、請求項１記載の自己紹介カードと、請求項２記載の回答カードと、他の参加者から渡されたそれらのカードを投入して保持するための保持具とから構成されることを特徴とするコミュニケーションカードセット。
【考案の詳細な説明】
【技術分野】
【０００１】
本考案は、異性との出会いを目的とする交流パーティで使用する自己紹介カード、回答カード、及びそれらのカードを投入して保持するための保持具を含めた、異性交流パーティ用コミュニケーションカードセットに関する。
【背景技術】
【０００２】
少子化、女性の社会進出の進展、結婚観や若者の価値観の変化と、それらを背景とする晩婚化の傾向などの社会環境変化により、結婚適齢者の男女が出会いの機会を得ることは従前に比べて相対的に難しくなっており、近年では異性との出会いを目的とする交流パーティ（以下、「異性交流パーティ」という）へのニーズが高まり、多くの主催業者によりビジネスとして企画開催されている。
【０００３】
こうした異性交流パーティは、伝統的に結婚相談所等の企業が主催するフォーマルかつ参加目的（結婚相手探し）が明確ないわゆる「お見合いパーティ」と、男女のグループがそれぞれの幹事同士の個人的つながりに基づいてインフォーマルかつ自発的に企画開催するいわゆる「合コン」との中間に位置づけられる催しであり、必ずしも結婚を前提とした交際を条件としないという気軽さと、個人が単独で参加できる点、友人など身近な人間に参加の事実を知られずに済むという秘匿性、主催業者が定める一定のルールの下で初対面の異性と出会うという安心感などのメリットがあるため、２０代〜３０代を中心に利用者が増えている。
【０００４】
異性交流パーティは、原則として初対面の参加者男女が飲食を共にしながら一定時間歓談する間に自分の好みの異性を見つけてアプローチし、双方が意気投合すれば個人的な連絡先の交換や再会の約束をするという形態が一般的であり、交流を円滑かつ活発にするために、主催業者が様々な趣向のゲームやイベントを企画し、そのための時間を設定する場合も多い。
【０００５】
前述の通り、参加者男女は原則として初対面であり、限られた異性交流パーティの時間内に好みの異性に自分の氏名やプロフィールを伝えて自己紹介及び自己ＰＲを行う。参加者が多数の異性交流パーティでは、口頭での自己紹介のみに頼った場合、相手方のプロフィール等を記憶しておくことが困難な場合もあり、また、個人の性格によっては、積極的に自己アピールをできる参加者もいれば自己アピールが不得手な参加者もいる。そのため、主催業者は、参加者同士の自己紹介を、機会の平等を実現しつつ効率的に行えるよう、あらかじめ統一様式の自己紹介用のカードを用意しておき、異性交流パーティの開始の前、又は開始直後に参加者に所定の事項を記入させて、それを参加者相互に交換させる場合が多い。
【０００６】
こうした自己紹介カードの記入事項としては、氏名、年齢、住所及び勤務地、出身地、職業、趣味、性格、好きな異性のタイプ、自分のアピールポイントなどが一般的であり、場合により、概算の年収や結婚希望時期、交際相手と行きたいデートの場所などを含める場合もある。一方、具体的な住所や勤務先名、電話番号（携帯電話番号）、電子メールアドレス等、直接本人を尋ねたり連絡を取ったりする手段に関する情報は記載させないのが一般的である。
【０００７】
ここで、上述の自己紹介カードの記載事項のうち問題となるのが氏名である。異性交流パーティの主催業者は、参加希望者の参加申込みを受け付ける段階で、氏名を含む本人の個人情報の開示を求めることが一般的であり、さらに、異性交流パーティの会場受付においても、参加者に運転免許証等の本人確認書類を提示させて本人確認を行う場合が多く、少なくとも主催業者は、通常、参加者の氏名等の個人情報を把握している。
【０００８】
しかし、参加者、特に女性は、一般的に自分の好みの異性以外に個人情報を開示することへの心理的抵抗が男性に比べて強い傾向があるため、前記自己紹介カードの氏名記載欄にも実名の代わりにニックネームあるいは仮名を記載する場合が多い。これは、実名を記載した場合、自分の意に沿わない異性の参加者にまで自分の個人情報を特定され、最悪の場合、後日いわゆるストーカー行為を誘発するリスクも皆無とはいえないという認識を背景とするものであり、主催業者も、必ずしも参加者に実名の記載を強制しない場合が多かった。これに対し、男性の参加者には実名を記載することに比較的抵抗が少ないという傾向があるが、こうした自己紹介カードにおける氏名開示の男女間不均衡については、従来は当然のこととして余り問題視されてこなかったのが実情であったといえる。
【０００９】
しかしながら、近年では、こうした氏名開示の男女間不均衡が、参加者、特に男性側にとって不満となる場合が増えている。従来、異性交流パーティは、どちらかといえば男性側から女性側に対して積極的に交際を求めてアプローチを行う場であって、女性はいわゆる「受け身の側」との認識が伝統的に定着していた。実際、異性交流パーティへの参加申込者数の比率も男性側が女性側より大きいという傾向にあったため、かかる「需給バランス」を反映して、主催業者が徴収するパーティ参加料金も、女性に比べて男性が高く設定されてきた。しかし、近年の社会環境変化、特に結婚適齢期の参加者の意識や価値観の変化により、こうした伝統的な認識も変化しており、かかる氏名開示の男女間不均衡が男性参加者にとって不公平なものとして認識されるという問題が生じている。
【００１０】
ただ、こうした問題の解決のために、主催業者が参加者の男女ともに対して自己紹介カードへの実名の記載を強制することは、特に前述の女性側の心理的抵抗を考えれば現実的ではない。かといって、女性のパーティ参加料金を引き上げて料金面での平等を図ろうとすることは、慣習的に女性の負担額は男性よりも小さいのが当たり前、という価値観が存在するため、女性のパーティ参加者が減少するおそれもあり、本質的な解決策とはならない。
【００１１】
いわゆる自己紹介用カードとしては、主に結婚式等において、参列者に新郎新婦のプロフィールを端的に紹介するために配布するためのカードが一般的に知られ（特許文献１：特開平１１−２５４８６５）、会議や懇談会等の場で初対面の参加者に対して自己のプロフィールやＰＲを記載して提示又は手渡す自己紹介カードも考案されている（特許文献２：実用新案登録第３１２１７７７号）。しかし、これらの先行技術は、基本的に氏名を相手に開示することが当然という状況下において用いることを前提としており、氏名の開示の可否についての判断が要求される異性交流パーティのような特殊な状況を想定したものではなく、前述の氏名開示の男女間不均衡の問題に適したものではなかった。
【特許文献１】特開平１１−２５４８６５
【特許文献２】実用新案登録第３１２１７７７号
【考案の開示】
【考案が解決しようとする課題】
【００１２】
本考案は、前述した問題点に鑑みてなされたものであり、男女ともに一律の実名開示を行うことなくプロフィール情報や自己ＰＲ情報のみを異性の参加者に伝え、その上で自分が好感を持った異性の参加者に対してのみ任意に自己の実名を開示し、また、自己紹介を受けた側の参加者も、自分が好感を持って実名を開示してもよいと判断した相手方に対してのみ任意に自己の実名を開示することが可能な、異性交流パーティ用コミュニケーションカードセットを提供するものである。
【課題を解決するための手段】
【００１３】
前記課題を解決するため、本考案の請求項１に記載の自己紹介カードは、使用者が氏名を除く自己の個人情報を記入するための情報記入欄と、自己の識別番号を記入するための番号欄を有することを特徴とする。
【００１４】
前記情報記入欄は、そもそも氏名を記入する欄を設けていないため、異性交流パーティ開始後、ただちに本自己紹介カードを異性の参加者に提示しても自己の実名が明らかになることはなく、氏名を除く自己のプロフィール情報や自己ＰＲ情報だけを簡潔かつ比較容易な形で相手に伝えることができる。また、該自己紹介カードには、自己の識別番号を記入するための番号欄を設けてあるため、主催業者が事前に参加者全員に付与した男女別のユニークの識別番号を当該番号欄に記入し、参加者が当該識別番号を表示する表示手段を身に付けておけば、他の参加者は使用者の実名を知らずとも、開示された自己紹介カードから使用者とそのプロフィール情報や自己ＰＲ情報とを一致させて把握することが可能となる。なお、前記識別番号の表示手段としては、衣服の任意の箇所に装着できる一般的な番号札のほか、識別番号を明確に表示する形で身に付けておけるものであれば形態や大きさは問わない。
【００１５】
本考案の請求項２に記載の回答カードは、自己紹介を受けた異性のパーティ参加者に対して使用者が意思表示の手段として渡すための回答カードであって、相手方に対する使用者の意識を表示できる回答欄と、自己の識別番号を記入するための番号欄と、使用者が任意に自己の氏名を記入できる氏名記入欄とを有することを特徴とする。
【００１６】
前記回答欄は、自己紹介をしてきた異性に対して、使用者が自分の相手に対する意識を伝えるために使用する欄であり、自由に文言を記入するいわゆるフリーアンサー方式としてもよいが、相手に対する好感度あるいは評価の程度を表現する既定の文言をたとえば三段階に分けてあらかじめ主催業者が印刷しておき、使用者はそれらのいずれかを選択して印を付けるといった選択方式であってもよい。しかし、任意に記入させた拒絶あるいは否定的な文言の表現が不適切であった場合、相手方の感情を傷つけるおそれがある。かかるおそれを防止するためには、あらかじめ用意された礼儀を踏まえた定型的な文言を使用者が選択できる選択方式がより望ましい。また、前記番号欄は、多数の相手から回答カードを受領した相手方が、誰からどのような回答をもらったかを失念しないために識別番号で確認できるようにするための欄である。そして、前記氏名記入欄は、回答カードを渡す相手方に好感を持ち、使用者が自分の実名を明かしてもよいと判断した場合にのみ氏名を記入するための任意の記入欄である。
【００１７】
本考案の請求項３に記載の考案は、請求項１記載の自己紹介カードと、請求項２記載の回答カードと、他の参加者から渡されたそれらのカードを投入して保持するための保持具とから構成されることを特徴とする。
【００１８】
異性交流パーティおいては、参加者が好感を抱いた異性の参加者に対して意思表示を行い、相手方も好感を表明した場合（いわゆる「意気投合」した場合）にカップルが成立する。ここで、パーティを盛り上げる演出上の目的で、あるいは、早い段階で一部の参加者にのみアプローチが集中して他の参加者が十分に意思表示を行えないためにパーティ全体の雰囲気が悪くなることを防ぐ目的で、パーティ開始後に主催業者が一定の交流タイムを設定し、その間はアプローチした相手方の回答の内容が分からないようにしておき、参加者が十分に交流できた後に、自分がアプローチした相手方の回答を確認するための確認タイムを取り、その時点で、互いに好感を表明し合った参加者同士のカップル成立が判明する、といった進行が行われることが多い。
【００１９】
本考案に係るコミュニケーションカードセットを用いて前記のようなパーティ進行を行う場合、まず、パーティの開始後、参加者は前記自己紹介カードを互いに交換する。次に、前記交流タイムの間に、参加者は自分が好感を抱いた異性の参加者にアプローチを行い、相手方からは前記回答カードを受け取ることになるが、この段階では相手方からの回答カードを前記保持具に順次投入することで、直ちには回答の内容を確認できない状態とすることができる。そして、パーティの進行とともに多くの異性の参加者から受け取った自己紹介カードや回答カードが保持具に蓄積され、前記確認タイムにおいて保持具内の回答カードの内容を確認した時点で初めて、自分の意中の異性との間でカップルが成立したか否かが判明するのである。
【００２０】
このため、前記保持具の構成は、投入された回答カードが前記確認タイムまでの間は使用者自身も外部から確認できず、かつ、パーティ開催中は常に使用者が身に付けておくことを可能とする必要があるため、たとえば紙等の不透明素材の袋に、使用者が常時首から懸吊して装着できるためのストラップ（紐）を取り付けたものが考えられるが、上記の使用目的を実現できる構成であれば必ずしもかかる構成に限らない。また、該保持具の表面に使用者の識別番号を分かりやすく表示しておけば、保持具自体が前記識別番号の表示手段を兼用できるため、別途番号札等を身につけておく必要もなくなり、合理的である。
【考案の効果】
【００２１】
請求項１に記載の自己紹介カードによれば、異性交流パーティにおいて使用者が異性の参加者に該自己紹介カードを手渡した場合に、実名を開示することなく自分を識別番号で相手に認識させ、自分のプロフィール情報と自己ＰＲを相手に伝えることができる。これにより、前述の氏名開示の男女間不均衡の問題を解決することができる。また、該自己紹介カードは所定事項の記入欄を埋めるだけで完成するため、使用者個人の対人アピール能力の差異に関わらず、該自己紹介カードを手渡すだけで最小限必要な情報を伝えることができ、いわゆる「口下手」あるいは「ひっこみ思案」の使用者であっても臆することなく自己紹介が可能となる。
【００２２】
また、請求項２に記載の回答カードによれば、使用者は、好感を持った相手に対してのみ任意に自分の実名を伝えることができるため、安心して自己紹介を受けた相手に対して対応することが可能となり、前記自己紹介カードとの組み合わせにより、氏名開示の男女間不均衡の問題をより効果的に解決することができる。また、本回答カードによれば、自己紹介を受けた相手方に対する自分の意識や感想を、事前に用意された定型的な文言を選択して印を付けて回答カードを渡すだけで相手に伝えることができるため、口頭で、あるいは自分で文言を考えて記入する回答カードを渡して伝える方法に比べて、より気軽に対応することができる。特に、自分にアプローチしてきた異性の参加者に対して拒絶あるいは否定的な回答を伝えたい場合にも、定型の文言を選択することで婉曲に意思を伝えることができるため、不用意な言葉や文言を用いたことによって相手の感情を傷つけるおそれが小さくなり、安心して対応することが可能となる。
【００２３】
さらに、請求項３に記載の保持具に前述の自己紹介カード及び回答カードをセットして身に付けておき、また、異性の参加者から渡された自己紹介カード及び回答カードを順次保持具の中に投入しておくことで、カードの紛失を防げるだけでなく、パーティの進行に応じて必要なタイミングで自分のアプローチした異性からの回答を確認できるようになり、パーティの演出効果上有効である。
【考案を実施するための最良の形態】
【００２４】
以下に、本考案を実施するための実施手形態を複数の図表を用いて開示する。これらは実施例であるが、本考案の実施はこれらの実施形態に限定されるものではない。
【００２５】
表１は、請求項１記載の考案に係る自己紹介カードに設けるべき記入欄を例示した一覧表である。「氏名」記入欄をあえて設けず、必ず「識別番号」、「年齢」の記入欄を設けることが必要であるが、それら以外の事項についての記入欄を設けるか否かについては、該カードを用いる異性交流パーティの企画意図に応じて任意である。
【００２６】
【表１】
0003162554.tif 000003
【００２７】
「１）識別番号」は、主催業者から付与されたパーティ当日限りの使用者の番号の記入欄である。異性の参加者から自己紹介カードを渡された場合に相手方に渡す回答カードにも当該識別番号を記載する。
【００２８】
「２）年齢」は、本自己紹介カードに記入する個人情報のうち最も基本的かつ具体的な重要記載事項であるため、本欄が未記入の自己紹介カードは主催業者のチェックにより無効とされるべきものである。
【００２９】
「３）住所」及び「４）勤務地」は、使用者の意に沿わない異性により、後日具体的な住所や勤務先を特定されることを防ぐため、都道府県あるいは市町村レベルまでの記入に留めることが適切である。「５）出身地」は、使用者のプロフィール情報に過ぎないものであるため、やはり都道府県あるいは市町村レベルまでの記入に留めることが適切である。「６）家族構成」は、兄弟姉妹の有無や現在一人暮らしであるか否か等を記入する。「７）職業」は、使用者の職業又は職種、あるいは職業に係る国家資格等を記入する。以上までの事項は、使用者の基本的な属性を把握するための事項であるから、原則として必須記入事項とすることが望ましい。
【００３０】
「８）趣味」「９）性格」「１０）異性の好み」「１１）結婚願望」「１２）自己ＰＲ」の各事項は、任意的記入事項であるが、異性の参加者への自己アピールの上で、使用者が工夫をこらして記入すべき事項である。なお、「１０）異性の好み」については、たとえば「好きなタレント」を記入するようにしてもよい。
【００３１】
上述の通り、本自己紹介カードには、偽名防止と個人情報及びプライバシー保護の観点からあえて「氏名」欄を設けていないため、本自己紹介カードを手渡された相手方は、その時点では使用者の氏名を知ることはできず、氏名を開示するか否かは使用者の判断に任される。使用者が相手方に好感を持っており、当初から自分の氏名を開示してもよいと判断する場合は、本自己紹介カードを手渡す際かその後で、口頭あるいは後述の回答カードの氏名記入欄に氏名を記入して手渡すことにより、任意に自分の氏名を相手方に開示する。
【００３２】
なお、本自己紹介カードの実施の一例を示したのが図１及び図２である。図１は男性参加者用の、図２は女性参加者用の自己紹介カードの表面を表している。
【００３３】
表２は、請求項２記載の考案に係る回答カードに表示すべき既定の文言及び設けるべき記入欄を例示した一覧表である。「回答」「識別番号」「氏名」の記入欄は必ず設けるが、「メッセージ」記入欄を設けるか否かについては、該カードを用いる異性交流パーティの企画意図に応じて任意である。
【００３４】
【表２】
0003162554.tif 000004
【００３５】
「１）回答」は、主催業者があらかじめ作成して表示した選択肢の文言のいずれか一つを使用者が選択して該当するものに印を記入する。使用者が相手方に対する意識や感想を自由な文言を記入して表示した場合、記入した文言の表現が不適切であると相手方の感情を傷つけるおそれがあるが、かかる定型文言を選択する方式を取ればそれを防止することができる。「２）メッセージ」は、使用者が自由な文言を記入することができる任意の記入欄であり、通常は、相手方に対する好印象や自己アピールを記入するために使用される。
【００３６】
「３）識別番号」は、主催業者から付与されたパーティ当日限りの使用者の番号の記入欄である。相手方に手渡した自己紹介カードに記載した識別番号と同じ番号を記入する。
【００３７】
「４）氏名」は、相手方に好感を持ち、かつ、使用者が自分の氏名を開示してもよいと判断した場合にのみ実名を記入する。
【００３８】
前述の通り、自己紹介カードにはあえて氏名記入欄を設けていないため、参加者は好感を持った異性の参加者に対して、本回答カードの氏名記入欄に自分の氏名を記入して手渡すことによって自分の氏名を開示することができる。また、好感を持てない相手に対しては氏名を記入せず、たとえば前述の選択肢３の文言に印のみを付けた本回答カードを手渡すことができる。この場合、自分の氏名を開示せず、かつ、相手の感情をいたずらに傷つけることなく否定的な意思表示をすることができる。
【００３９】
なお、本回答カードの実施の一例を示したのが図３及び図４である。図３は男性参加者用の、図４は女性参加者用の回答カードの表面を表している。
【００４０】
図５は、請求項３記載の考案に係るコミュニケーションカードセットの保持具を示したものである。保持具本体１は、全体としての形状は不透明素材による平たい袋状で、第１ポケット２及び第２ポケット３の二つのポケットを有する。第１ポケット２はパーティで異性の参加者から手渡された自己紹介カード及び回答カードを投入しておくためのものであり、第２ポケット３は異性の参加者に渡すための記入済みあるいは記入前の自己紹介カード及び回答カードを保持しておくためのものである。保持具本体１の上端両隅には取付部５を設け、該取付部５にストラップ（紐）６の両端が取り付けられ、使用者は該ストラップ（紐）６を首に掛けることにより保持具本体１を懸吊し、パーティ参加中常時身に付けておくことができる。また、保持具本体１の表面には大きく識別番号４（「５」は識別番号５番を表す例示である。）を表示し、使用者は、主催業者から付与されたパーティ会場における自分の識別番号が表示された保持具を身に付けておくことで、異性の参加者は容易に使用者から渡された自己紹介カードに記入された識別番号で容易に使用者を識別することができ、別途番号札等を用いる必要もない。
【００４１】
保持具本体１は、ポケットを二つ設けずに単純な袋状のものであってもよいが、異性の参加者からすでに渡された自己紹介カードや回答カードと、これから自分が異性の参加者に渡すべき自己紹介カードや回答カードが保持具内で混在すると不便であるため、ポケットを二つ設けて分別することが望ましい。また、カード類を記入するためにボールペン等のクリップ付筆記具（図示せず）をいずれかのポケットに留めておけばより便利である。
【００４２】
また、異性交流パーティにおいては、主催業者は、事前に上記保持具の第２ポケットに必要数の自己紹介カード及び回答カードをセットしておき、参加者に該当する識別番号を付した保持具を手渡せばよいので、会場での受付時の対応も効率化できる。
【００４３】
なお、本考案に係る保持具の素材は、不透明素材であれば特に限定されず、紙製の袋に紐を取り付けたものでもよいが、反復再利用が可能な強度を備え、飲食物等が付着しても容易に拭き取れて清潔を保つことを可能とするために、ビニール素材等を用いることが好適である。
【産業上の利用可能性】
【００４４】
本考案によれば、異性交流パーティでの氏名開示の男女間不均衡の問題を解決し、かつ、パーティ参加者の個人情報開示に伴う安全性を高めることが可能となる。また、パーティ参加者個人の対人アピール力の差異に関わらず、機会の平等を実現しつつ効率的な自己紹介が可能となるため、異性交流パーティ全体の魅力を高め、健全で節度ある異性交流パーティビジネスの発展に資する。
【図面の簡単な説明】
【００４５】
【図１】本実施形態に係る自己紹介カードの一例（男性用）である。
【図２】本実施形態に係る自己紹介カードの一例（女性用）である。
【図３】本実施形態に係る回答カードの一例（男性用）である。
【図４】本実施形態に係る回答カードの一例（男性用）である。
【図５】本実施形態に係るコミュニケーションカードセットの保持具の一例である。
【符号の説明】
【００４６】
１  保持具本体
２  第１ポケット
３  第２ポケット
４  識別番号（「５」は例示である。）
５  取付部
６  ストラップ（紐）
【図１】
0003162554.tif 000005
【図２】
0003162554.tif 000006
【図３】
0003162554.tif 000007
【図４】
0003162554.tif 000008
【図５】
0003162554.tif 000009
【手続補正書】
【提出日】平成22年6月1日(2010.6.1)
【手続補正１】
【補正対象書類名】実用新案登録請求の範囲
【補正対象項目名】全文
【補正方法】変更
【補正の内容】
【実用新案登録請求の範囲】
【請求項１】
異性との出会いを目的とする異性交流パーティにおいて参加者が使用するコミュニケーションカードであって、使用者が異性のパーティ参加者に提示するための自己紹介カードと、自己紹介を受けた異性のパーティ参加者に対して使用者が意思表示の手段として渡すための回答カードとからなり、前記自己紹介カードは、カード上部には使用者の識別番号を記入するための番号欄を、該番号欄の下部には使用者が氏名を除く自己の個人情報を記入するための情報記入欄とを有し、前記回答カードは、相手方に対する使用者の意識を少なくとも三段階の選択肢のいずれかを選択してマークすることにより表示できる回答欄と、前記使用者の識別番号を記入するための番号欄とを有し、さらにカード最下部には使用者が任意に自己の氏名を記入できる氏名記入欄とを有することを特徴とするコミュニケーションカード。
【請求項２】
異性との出会いを目的とする異性交流パーティにおいて、参加者が使用するコミュニケーションカードセットであって、請求項１記載の使用者自身のコミュニケーションカードと、他の参加者から渡された前記回答カードを投入して保持するための保持具とから構成されることを特徴とするコミュニケーションカードセット。
【手続補正２】
【補正対象書類名】明細書
【補正対象項目名】全文
【補正方法】変更
【補正の内容】
【考案の詳細な説明】
【技術分野】
【０００１】
本考案は、異性との出会いを目的とする交流パーティで使用する自己紹介カード、回答カード、及びそれらのカードを投入して保持するための保持具を含めた、異性交流パーティ用コミュニケーションカードセットに関する。
【背景技術】
【０００２】
少子化、女性の社会進出の進展、結婚観や若者の価値観の変化と、それらを背景とする晩婚化の傾向などの社会環境変化により、結婚適齢者の男女が出会いの機会を得ることは従前に比べて相対的に難しくなっており、近年では異性との出会いを目的とする交流パーティ（以下、「異性交流パーティ」という）へのニーズが高まり、多くの主催業者によりビジネスとして企画開催されている。
【０００３】
こうした異性交流パーティは、伝統的に結婚相談所等の企業が主催するフォーマルかつ参加目的（結婚相手探し）が明確ないわゆる「お見合いパーティ」と、男女のグループがそれぞれの幹事同士の個人的つながりに基づいてインフォーマルかつ自発的に企画開催するいわゆる「合コン」との中間に位置づけられる催しであり、必ずしも結婚を前提とした交際を条件としないという気軽さと、個人が単独で参加できる点、友人など身近な人間に参加の事実を知られずに済むという秘匿性、主催業者が定める一定のルールの下で初対面の異性と出会うという安心感などのメリットがあるため、２０代〜３０代を中心に利用者が増えている。
【０００４】
異性交流パーティは、原則として初対面の参加者男女が飲食を共にしながら一定時間歓談する間に自分の好みの異性を見つけてアプローチし、双方が意気投合すれば個人的な連絡先の交換や再会の約束をするという形態が一般的であり、交流を円滑かつ活発にするために、主催業者が様々な趣向のゲームやイベントを企画し、そのための時間を設定する場合も多い。
【０００５】
前述の通り、参加者男女は原則として初対面であり、限られた異性交流パーティの時間内に好みの異性に自分の氏名やプロフィールを伝えて自己紹介及び自己ＰＲを行う。参加者が多数の異性交流パーティでは、口頭での自己紹介のみに頼った場合、相手方のプロフィール等を記憶しておくことが困難な場合もあり、また、個人の性格によっては、積極的に自己アピールをできる参加者もいれば自己アピールが不得手な参加者もいる。そのため、主催業者は、参加者同士の自己紹介を、機会の平等を実現しつつ効率的に行えるよう、あらかじめ統一様式の自己紹介用のカードを用意しておき、異性交流パーティの開始の前、又は開始直後に参加者に所定の事項を記入させて、それを参加者相互に交換させる場合が多い。
【０００６】
こうした自己紹介カードの記入事項としては、氏名、年齢、住所及び勤務地、出身地、職業、趣味、性格、好きな異性のタイプ、自分のアピールポイントなどが一般的であり、場合により、概算の年収や結婚希望時期、交際相手と行きたいデートの場所などを含める場合もある。一方、具体的な住所や勤務先名、電話番号（携帯電話番号）、電子メールアドレス等、直接本人を尋ねたり連絡を取ったりする手段に関する情報は記載させないのが一般的である。
【０００７】
ここで、上述の自己紹介カードの記載事項のうち問題となるのが氏名である。異性交流パーティの主催業者は、参加希望者の参加申込みを受け付ける段階で、氏名を含む本人の個人情報の開示を求めることが一般的であり、さらに、異性交流パーティの会場受付においても、参加者に運転免許証等の本人確認書類を提示させて本人確認を行う場合が多く、少なくとも主催業者は、通常、参加者の氏名等の個人情報を把握している。
【０００８】
しかし、参加者、特に女性は、一般的に自分の好みの異性以外に個人情報を開示することへの心理的抵抗が男性に比べて強い傾向があるため、前記自己紹介カードの氏名記載欄にも実名の代わりにニックネームあるいは仮名を記載する場合が多い。これは、実名を記載した場合、自分の意に沿わない異性の参加者にまで自分の個人情報を特定され、最悪の場合、後日いわゆるストーカー行為を誘発するリスクも皆無とはいえないという認識を背景とするものであり、主催業者も、必ずしも参加者に実名の記載を強制しない場合が多かった。これに対し、男性の参加者には実名を記載することに比較的抵抗が少ないという傾向があるが、こうした自己紹介カードにおける氏名開示の男女間不均衡については、従来は当然のこととして余り問題視されてこなかったのが実情であったといえる。
【０００９】
しかしながら、近年では、こうした氏名開示の男女間不均衡が、参加者、特に男性側にとって不満となる場合が増えている。従来、異性交流パーティは、どちらかといえば男性側から女性側に対して積極的に交際を求めてアプローチを行う場であって、女性はいわゆる「受け身の側」との認識が伝統的に定着していた。実際、異性交流パーティへの参加申込者数の比率も男性側が女性側より大きいという傾向にあったため、かかる「需給バランス」を反映して、主催業者が徴収するパーティ参加料金も、女性に比べて男性が高く設定されてきた。しかし、近年の社会環境変化、特に結婚適齢期の参加者の意識や価値観の変化により、こうした伝統的な認識も変化しており、かかる氏名開示の男女間不均衡が男性参加者にとって不公平なものとして認識されるという問題が生じている。
【００１０】
ただ、こうした問題の解決のために、主催業者が参加者の男女ともに対して自己紹介カードへの実名の記載を強制することは、特に前述の女性側の心理的抵抗を考えれば現実的ではない。かといって、女性のパーティ参加料金を引き上げて料金面での平等を図ろうとすることは、慣習的に女性の負担額は男性よりも小さいのが当たり前、という価値観が存在するため、女性のパーティ参加者が減少するおそれもあり、本質的な解決策とはならない。
【００１１】
いわゆる自己紹介用カードとしては、主に結婚式等において、参列者に新郎新婦のプロフィールを端的に紹介するために配布するためのカードが一般的に知られ（特許文献１：特開平１１−２５４８６５）、会議や懇談会等の場で初対面の参加者に対して自己のプロフィールやＰＲを記載して提示又は手渡す自己紹介カードも考案されている（特許文献２：実用新案登録第３１２１７７７号）。しかし、これらの先行技術は、基本的に氏名を相手に開示することが当然という状況下において用いることを前提としており、氏名の開示の可否についての判断が要求される異性交流パーティのような特殊な状況を想定したものではなく、前述の氏名開示の男女間不均衡の問題に適したものではなかった。
【特許文献１】特開平１１−２５４８６５
【特許文献２】実用新案登録第３１２１７７７号
【考案の開示】
【考案が解決しようとする課題】
【００１２】
本考案は、前述した問題点に鑑みてなされたものであり、男女ともに一律の実名開示を行うことなくプロフィール情報や自己ＰＲ情報のみを異性の参加者に伝え、その上で自分が好感を持った異性の参加者に対してのみ任意に自己の実名を開示し、また、自己紹介を受けた側の参加者も、自分が好感を持って実名を開示してもよいと判断した相手方に対してのみ任意に自己の実名を開示することが可能な、異性交流パーティ用コミュニケーションカードセットを提供するものである。
【課題を解決するための手段】
【００１３】
前記課題を解決するため、本考案の請求項１に記載のコミュニケーションカードは、使用者が異性のパーティ参加者に提示するための自己紹介カードと、自己紹介を受けた異性のパーティ参加者に対して使用者が意思表示の手段として渡すための回答カードとからなり、前記自己紹介カードは、カード上部には使用者の識別番号を記入するための番号欄を、該番号欄の下部には使用者が氏名を除く自己の個人情報を記入するための情報記入欄とを有し、前記回答カードは、相手方に対する使用者の意識を少なくとも三段階の選択肢のいずれかを選択してマークすることにより表示できる回答欄と、前記使用者の識別番号を記入するための番号欄とを有し、さらにカード最下部には使用者が任意に自己の氏名を記入できる氏名記入欄とを有することを特徴とする。
【００１４】
前記自己紹介カードの情報記入欄は、そもそも氏名を記入する欄を設けていないため、異性交流パーティ開始後、ただちに本自己紹介カードを異性の参加者に提示しても自己の実名が明らかになることはなく、氏名を除く自己のプロフィール情報や自己ＰＲ情報だけを簡潔かつ比較容易な形で相手に伝えることができる。また、該自己紹介カードには、自己の識別番号を記入するための番号欄を設けてあるため、主催業者が事前に参加者全員に付与した男女別のユニークの識別番号を当該番号欄に記入し、参加者が当該識別番号を表示する表示手段を身に付けておけば、他の参加者は使用者の実名を知らずとも、開示された自己紹介カードから使用者とそのプロフィール情報や自己ＰＲ情報とを一致させて把握することが可能となる。なお、前記識別番号の表示手段としては、衣服の任意の箇所に装着できる一般的な番号札のほか、識別番号を明確に表示する形で身に付けておけるものであれば形態や大きさは問わない。
【００１５】
一方、前記回答カードの回答欄は、自己紹介をしてきた異性に対して、使用者が自分の相手に対する意識を伝えるために使用する欄であり、自由に文言を記入するいわゆるフリーアンサー方式も考えられるが、相手に対する好感度あるいは評価の程度を表現する既定の文言を少なくとも三段階に分けてあらかじめ主催業者が印刷しておき、使用者はそれらのいずれかを選択して印を付けるといった選択方式とする。フリーアンサー方式として任意に記入させた拒絶あるいは否定的な文言の表現が不適切であった場合、相手方の感情を傷つけるおそれがある。かかるおそれを防止するためには、あらかじめ用意された礼儀を踏まえた定型的な文言を使用者が選択できる選択方式が望ましい。また、前記番号欄は、多数の相手から回答カードを受領した相手方が、誰からどのような回答をもらったかを失念しないために識別番号で確認できるようにするための欄である。そして、前記氏名記入欄は、回答カードを渡す相手方に好感を持ち、使用者が自分の実名を明かしてもよいと判断した場合にのみ氏名を記入するための任意の記入欄である。
【００１６】
本考案の請求項２に記載の考案は、請求項１記載の使用者自身のコミュニケーションカードと、他の参加者から渡された前記回答カードを投入して保持するための保持具とから構成されることを特徴とする。
【００１７】
異性交流パーティおいては、参加者が好感を抱いた異性の参加者に対して意思表示を行い、相手方も好感を表明した場合（いわゆる「意気投合」した場合）にカップルが成立する。ここで、パーティを盛り上げる演出上の目的で、あるいは、早い段階で一部の参加者にのみアプローチが集中して他の参加者が十分に意思表示を行えないためにパーティ全体の雰囲気が悪くなることを防ぐ目的で、パーティ開始後に主催業者が一定の交流タイムを設定し、その間はアプローチした相手方の回答の内容が分からないようにしておき、参加者が十分に交流できた後に、自分がアプローチした相手方の回答を確認するための確認タイムを取り、その時点で、互いに好感を表明し合った参加者同士のカップル成立が判明する、といった進行が行われることが多い。
【００１８】
本考案に係るコミュニケーションカードセットを用いて前記のようなパーティ進行を行う場合、まず、パーティの開始後、参加者は前記自己紹介カードを互いに提示し合う。次に、前記交流タイムの間に、参加者は自分が好感を抱いた異性の参加者にアプローチを行い、相手方からは前記回答カードを受け取ることになるが、この段階では相手方からの回答カードを前記保持具に順次投入することで、直ちには回答の内容を確認できない状態とすることができる。そして、パーティの進行とともに多くの異性の参加者から受け取った回答カードが保持具に蓄積され、前記確認タイムにおいて保持具内の回答カードの内容を確認した時点で初めて、自分の意中の異性との間でカップルが成立したか否かが判明するのである。
【００１９】
このため、前記保持具の構成は、投入された回答カードが前記確認タイムまでの間は使用者自身も外部から確認できず、かつ、パーティ開催中は常に使用者が身に付けておくことを可能とする必要があるため、たとえば紙等の不透明素材の袋に、使用者が常時首から懸吊して装着できるためのストラップ（紐）を取り付けたものが考えられるが、上記の使用目的を実現できる構成であれば必ずしもかかる構成に限らない。また、該保持具の表面に使用者の識別番号を分かりやすく表示しておけば、保持具自体が前記識別番号の表示手段を兼用できるため、別途番号札等を身につけておく必要もなくなり、合理的である。
【考案の効果】
【００２０】
請求項１に記載の自己紹介カードによれば、異性交流パーティにおいて使用者が異性の参加者に該自己紹介カードを手渡した場合に、実名を開示することなく自分を識別番号で相手に認識させ、自分のプロフィール情報と自己ＰＲを相手に伝えることができる。これにより、前述の氏名開示の男女間不均衡の問題を解決することができる。また、該自己紹介カードは所定事項の記入欄を埋めるだけで完成するため、使用者個人の対人アピール能力の差異に関わらず、該自己紹介カードを手渡すだけで最小限必要な情報を伝えることができ、いわゆる「口下手」あるいは「ひっこみ思案」の使用者であっても臆することなく自己紹介が可能となる。
【００２１】
また、同じく請求項１に記載の回答カードによれば、使用者は、好感を持った相手に対してのみ任意に自分の実名を伝えることができるため、安心して自己紹介を受けた相手に対して対応することが可能となり、前記自己紹介カードとの組み合わせにより、氏名開示の男女間不均衡の問題をより効果的に解決することができる。また、本回答カードによれば、自己紹介を受けた相手方に対する自分の意識や感想を、事前に用意された定型的な文言を選択して印を付けて回答カードを渡すだけで相手に伝えることができるため、口頭で、あるいは自分で文言を考えて記入する回答カードを渡して伝える方法に比べて、より気軽に対応することができる。特に、自分にアプローチしてきた異性の参加者に対して拒絶あるいは否定的な回答を伝えたい場合にも、定型の文言を選択することで婉曲に意思を伝えることができるため、不用意な言葉や文言を用いたことによって相手の感情を傷つけるおそれが小さくなり、安心して対応することが可能となる。
【００２２】
さらに、請求項２に記載の保持具に前述の自己紹介カード及び回答カードをセットして身に付けておき、また、異性の参加者から渡された自己紹介カード及び回答カードを順次保持具の中に投入しておくことで、カードの紛失を防げるだけでなく、パーティの進行に応じて必要なタイミングで自分のアプローチした異性からの回答を確認できるようになり、パーティの演出効果上有効である。
【考案を実施するための最良の形態】
【００２３】
以下に、本考案を実施するための実施手形態を複数の図表を用いて開示する。これらは実施例であるが、本考案の実施はこれらの実施形態に限定されるものではない。
【００２４】
表１は、請求項１記載の考案に係る自己紹介カードに設けるべき記入欄を例示した一覧表である。「氏名」記入欄をあえて設けず、必ず「識別番号」、「年齢」の記入欄を設けることが必要であるが、それら以外の事項についての記入欄を設けるか否かについては、該カードを用いる異性交流パーティの企画意図に応じて任意である。
【００２５】
【表１】
0003162554.tif 000010
【００２６】
「１）識別番号」は、主催業者から付与されたパーティ当日限りの使用者の番号の記入欄である。異性の参加者から自己紹介カードを渡された場合に相手方に渡す回答カードにも当該識別番号を記載する。
【００２７】
「２）年齢」は、本自己紹介カードに記入する個人情報のうち最も基本的かつ具体的な重要記載事項であるため、本欄が未記入の自己紹介カードは主催業者のチェックにより無効とされるべきものである。
【００２８】
「３）住所」及び「４）勤務地」は、使用者の意に沿わない異性により、後日具体的な住所や勤務先を特定されることを防ぐため、都道府県あるいは市町村レベルまでの記入に留めることが適切である。「５）出身地」は、使用者のプロフィール情報に過ぎないものであるため、やはり都道府県あるいは市町村レベルまでの記入に留めることが適切である。「６）家族構成」は、兄弟姉妹の有無や現在一人暮らしであるか否か等を記入する。「７）職業」は、使用者の職業又は職種、あるいは職業に係る国家資格等を記入する。以上までの事項は、使用者の基本的な属性を把握するための事項であるから、原則として必須記入事項とすることが望ましい。
【００２９】
「８）趣味」「９）性格」「１０）異性の好み」「１１）結婚願望」「１２）自己ＰＲ」の各事項は、任意的記入事項であるが、異性の参加者への自己アピールの上で、使用者が工夫をこらして記入すべき事項である。なお、「１０）異性の好み」については、たとえば「好きなタレント」を記入するようにしてもよい。
【００３０】
上述の通り、本自己紹介カードには、偽名防止と個人情報及びプライバシー保護の観点からあえて「氏名」欄を設けていないため、本自己紹介カードを手渡された相手方は、その時点では使用者の氏名を知ることはできず、氏名を開示するか否かは使用者の判断に任される。使用者が相手方に好感を持っており、当初から自分の氏名を開示してもよいと判断する場合は、本自己紹介カードを手渡す際かその後で、口頭あるいは後述の回答カードの氏名記入欄に氏名を記入して手渡すことにより、任意に自分の氏名を相手方に開示する。
【００３１】
なお、本自己紹介カードの実施の一例を示したのが図１及び図２である。図１は男性参加者用の、図２は女性参加者用の自己紹介カードの表面を表している。
【００３２】
表２は、同じく請求項１記載の考案に係る回答カードに表示すべき既定の文言及び設けるべき記入欄を例示した一覧表である。「回答」「識別番号」「氏名」の記入欄は必ず設けるが、「メッセージ」記入欄を設けるか否かについては、該カードを用いる異性交流パーティの企画意図に応じて任意である。
【００３３】
【表２】
0003162554.tif 000011
【００３４】
「１）回答」は、主催業者があらかじめ作成して表示した選択肢の文言のいずれか一つを使用者が選択して該当するものに印を記入する。使用者が相手方に対する意識や感想を自由な文言を記入して表示した場合、記入した文言の表現が不適切であると相手方の感情を傷つけるおそれがあるが、かかる定型文言を選択する方式を取ればそれを防止することができる。「２）メッセージ」は、使用者が自由な文言を記入することができる任意の記入欄であり、通常は、相手方に対する好印象や自己アピールを記入するために使用される。
【００３５】
「３）識別番号」は、主催業者から付与されたパーティ当日限りの使用者の番号の記入欄である。相手方に手渡した自己紹介カードに記載した識別番号と同じ番号を記入する。
【００３６】
「４）氏名」は、相手方に好感を持ち、かつ、使用者が自分の氏名を開示してもよいと判断した場合にのみ実名を記入する。
【００３７】
前述の通り、自己紹介カードにはあえて氏名記入欄を設けていないため、参加者は好感を持った異性の参加者に対して、本回答カードの氏名記入欄に自分の氏名を記入して手渡すことによって自分の氏名を開示することができる。また、好感を持てない相手に対しては氏名を記入せず、たとえば前述の選択肢３の文言に印のみを付けた本回答カードを手渡すことができる。この場合、自分の氏名を開示せず、かつ、相手の感情をいたずらに傷つけることなく否定的な意思表示をすることができる。
【００３８】
なお、本回答カードの実施の一例を示したのが図３及び図４である。図３は男性参加者用の、図４は女性参加者用の回答カードの表面を表している。
【００３９】
図５は、請求項３記載の考案に係るコミュニケーションカードセットの保持具を示したものである。保持具本体１は、全体としての形状は不透明素材による平たい袋状で、第１ポケット２及び第２ポケット３の二つのポケットを有する。第１ポケット２はパーティで異性の参加者から手渡された自己紹介カード及び回答カードを投入しておくためのものであり、第２ポケット３は異性の参加者に渡すための記入済みあるいは記入前の自己紹介カード及び回答カードを保持しておくためのものである。保持具本体１の上端両隅には取付部５を設け、該取付部５にストラップ（紐）６の両端が取り付けられ、使用者は該ストラップ（紐）６を首に掛けることにより保持具本体１を懸吊し、パーティ参加中常時身に付けておくことができる。また、保持具本体１の表面には大きく識別番号４（「５」は識別番号５番を表す例示である。）を表示し、使用者は、主催業者から付与されたパーティ会場における自分の識別番号が表示された保持具を身に付けておくことで、異性の参加者は容易に使用者から渡された自己紹介カードに記入された識別番号で容易に使用者を識別することができ、別途番号札等を用いる必要もない。
【００４０】
保持具本体１は、ポケットを二つ設けずに単純な袋状のものであってもよいが、異性の参加者からすでに渡された自己紹介カードや回答カードと、これから自分が異性の参加者に渡すべき自己紹介カードや回答カードが保持具内で混在すると不便であるため、ポケットを二つ設けて分別することが望ましい。また、カード類を記入するためにボールペン等のクリップ付筆記具（図示せず）をいずれかのポケットに留めておけばより便利である。
【００４１】
また、異性交流パーティにおいては、主催業者は、事前に上記保持具の第２ポケットに必要数の自己紹介カード及び回答カードをセットしておき、参加者に該当する識別番号を付した保持具を手渡せばよいので、会場での受付時の対応も効率化できる。
【００４２】
なお、本考案に係る保持具の素材は、不透明素材であれば特に限定されず、紙製の袋に紐を取り付けたものでもよいが、反復再利用が可能な強度を備え、飲食物等が付着しても容易に拭き取れて清潔を保つことを可能とするために、ビニール素材等を用いることが好適である。
【産業上の利用可能性】
【００４３】
本考案によれば、異性交流パーティでの氏名開示の男女間不均衡の問題を解決し、かつ、パーティ参加者の個人情報開示に伴う安全性を高めることが可能となる。また、パーティ参加者個人の対人アピール力の差異に関わらず、機会の平等を実現しつつ効率的な自己紹介が可能となるため、異性交流パーティ全体の魅力を高め、健全で節度ある異性交流パーティビジネスの発展に資する。
【図面の簡単な説明】
【００４４】
【図１】本実施形態に係る自己紹介カードの一例（男性用）である。
【図２】本実施形態に係る自己紹介カードの一例（女性用）である。
【図３】本実施形態に係る回答カードの一例（男性用）である。
【図４】本実施形態に係る回答カードの一例（男性用）である。
【図５】本実施形態に係るコミュニケーションカードセットの保持具の一例である。
【符号の説明】
【００４５】
１  保持具本体
２  第１ポケット
３  第２ポケット
４  識別番号（「５」は例示である。）
５  取付部
６  ストラップ（紐）
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
異性との出会いを目的とする異性交流パーティにおいて参加者が使用するコミュニケーションカードであって、使用者が異性のパーティ参加者に提示するための自己紹介カードと、自己紹介を受けた異性のパーティ参加者に対して使用者が意思表示の手段として渡すための回答カードとからなり、前記自己紹介カードは、カード上部には使用者の識別番号を記入するための番号欄を、該番号欄の下部には使用者が氏名を除く自己の個人情報を記入するための情報記入欄とを有し、前記回答カードは、相手方に対する使用者の意識を少なくとも三段階の選択肢のいずれかを選択してマークすることにより表示できる回答欄と、前記使用者の識別番号を記入するための番号欄と、使用者が任意に自己の氏名を記入できる氏名記入欄とを有し、前記回答欄、番号欄、氏名記入欄を、カード上部から下部に向けて、回答欄・番号欄・氏名記入欄の順、又は番号欄・回答欄・氏名記入欄の順に配設したことを特徴とするコミュニケーションカード。
【請求項２】
異性との出会いを目的とする異性交流パーティにおいて、参加者が使用するコミュニケーションカードセットであって、請求項１記載の使用者自身のコミュニケーションカードと、他の参加者から渡された前記回答カードを投入して保持するための保持具とから構成されることを特徴とするコミュニケーションカードセット。
【手続補正２】
【補正対象書類名】明細書
【補正対象項目名】全文
【補正方法】変更
【補正の内容】
【考案の詳細な説明】
【技術分野】
【０００１】
本考案は、異性との出会いを目的とする交流パーティで使用する自己紹介カード、回答カード、及びそれらのカードを投入して保持するための保持具を含めた、異性交流パーティ用コミュニケーションカードセットに関する。
【背景技術】
【０００２】
少子化、女性の社会進出の進展、結婚観や若者の価値観の変化と、それらを背景とする晩婚化の傾向などの社会環境変化により、結婚適齢者の男女が出会いの機会を得ることは従前に比べて相対的に難しくなっており、近年では異性との出会いを目的とする交流パーティ（以下、「異性交流パーティ」という）へのニーズが高まり、多くの主催業者によりビジネスとして企画開催されている。
【０００３】
こうした異性交流パーティは、伝統的に結婚相談所等の企業が主催するフォーマルかつ参加目的（結婚相手探し）が明確ないわゆる「お見合いパーティ」と、男女のグループがそれぞれの幹事同士の個人的つながりに基づいてインフォーマルかつ自発的に企画開催するいわゆる「合コン」との中間に位置づけられる催しであり、必ずしも結婚を前提とした交際を条件としないという気軽さと、個人が単独で参加できる点、友人など身近な人間に参加の事実を知られずに済むという秘匿性、主催業者が定める一定のルールの下で初対面の異性と出会うという安心感などのメリットがあるため、２０代〜３０代を中心に利用者が増えている。
【０００４】
異性交流パーティは、原則として初対面の参加者男女が飲食を共にしながら一定時間歓談する間に自分の好みの異性を見つけてアプローチし、双方が意気投合すれば個人的な連絡先の交換や再会の約束をするという形態が一般的であり、交流を円滑かつ活発にするために、主催業者が様々な趣向のゲームやイベントを企画し、そのための時間を設定する場合も多い。
【０００５】
前述の通り、参加者男女は原則として初対面であり、限られた異性交流パーティの時間内に好みの異性に自分の氏名やプロフィールを伝えて自己紹介及び自己ＰＲを行う。参加者が多数の異性交流パーティでは、口頭での自己紹介のみに頼った場合、相手方のプロフィール等を記憶しておくことが困難な場合もあり、また、個人の性格によっては、積極的に自己アピールをできる参加者もいれば自己アピールが不得手な参加者もいる。そのため、主催業者は、参加者同士の自己紹介を、機会の平等を実現しつつ効率的に行えるよう、あらかじめ統一様式の自己紹介用のカードを用意しておき、異性交流パーティの開始の前、又は開始直後に参加者に所定の事項を記入させて、それを参加者相互に交換させる場合が多い。
【０００６】
こうした自己紹介カードの記入事項としては、氏名、年齢、住所及び勤務地、出身地、職業、趣味、性格、好きな異性のタイプ、自分のアピールポイントなどが一般的であり、場合により、概算の年収や結婚希望時期、交際相手と行きたいデートの場所などを含める場合もある。一方、具体的な住所や勤務先名、電話番号（携帯電話番号）、電子メールアドレス等、直接本人を尋ねたり連絡を取ったりする手段に関する情報は記載させないのが一般的である。
【０００７】
ここで、上述の自己紹介カードの記載事項のうち問題となるのが氏名である。異性交流パーティの主催業者は、参加希望者の参加申込みを受け付ける段階で、氏名を含む本人の個人情報の開示を求めることが一般的であり、さらに、異性交流パーティの会場受付においても、参加者に運転免許証等の本人確認書類を提示させて本人確認を行う場合が多く、少なくとも主催業者は、通常、参加者の氏名等の個人情報を把握している。
【０００８】
しかし、参加者、特に女性は、一般的に自分の好みの異性以外に個人情報を開示することへの心理的抵抗が男性に比べて強い傾向があるため、前記自己紹介カードの氏名記載欄にも実名の代わりにニックネームあるいは仮名を記載する場合が多い。これは、実名を記載した場合、自分の意に沿わない異性の参加者にまで自分の個人情報を特定され、最悪の場合、後日いわゆるストーカー行為を誘発するリスクも皆無とはいえないという認識を背景とするものであり、主催業者も、必ずしも参加者に実名の記載を強制しない場合が多かった。これに対し、男性の参加者には実名を記載することに比較的抵抗が少ないという傾向があるが、こうした自己紹介カードにおける氏名開示の男女間不均衡については、従来は当然のこととして余り問題視されてこなかったのが実情であったといえる。
【０００９】
しかしながら、近年では、こうした氏名開示の男女間不均衡が、参加者、特に男性側にとって不満となる場合が増えている。従来、異性交流パーティは、どちらかといえば男性側から女性側に対して積極的に交際を求めてアプローチを行う場であって、女性はいわゆる「受け身の側」との認識が伝統的に定着していた。実際、異性交流パーティへの参加申込者数の比率も男性側が女性側より大きいという傾向にあったため、かかる「需給バランス」を反映して、主催業者が徴収するパーティ参加料金も、女性に比べて男性が高く設定されてきた。しかし、近年の社会環境変化、特に結婚適齢期の参加者の意識や価値観の変化により、こうした伝統的な認識も変化しており、かかる氏名開示の男女間不均衡が男性参加者にとって不公平なものとして認識されるという問題が生じている。
【００１０】
ただ、こうした問題の解決のために、主催業者が参加者の男女ともに対して自己紹介カードへの実名の記載を強制することは、特に前述の女性側の心理的抵抗を考えれば現実的ではない。かといって、女性のパーティ参加料金を引き上げて料金面での平等を図ろうとすることは、慣習的に女性の負担額は男性よりも小さいのが当たり前、という価値観が存在するため、女性のパーティ参加者が減少するおそれもあり、本質的な解決策とはならない。
【００１１】
いわゆる自己紹介用カードとしては、主に結婚式等において、参列者に新郎新婦のプロフィールを端的に紹介するために配布するためのカードが一般的に知られ（特許文献１：特開平１１−２５４８６５）、会議や懇談会等の場で初対面の参加者に対して自己のプロフィールやＰＲを記載して提示又は手渡す自己紹介カードも考案されている（特許文献２：実用新案登録第３１２１７７７号）。しかし、これらの先行技術は、基本的に氏名を相手に開示することが当然という状況下において用いることを前提としており、氏名の開示の可否についての判断が要求される異性交流パーティのような特殊な状況を想定したものではなく、前述の氏名開示の男女間不均衡の問題に適したものではなかった。
【特許文献１】特開平１１−２５４８６５
【特許文献２】実用新案登録第３１２１７７７号
【考案の開示】
【考案が解決しようとする課題】
【００１２】
本考案は、前述した問題点に鑑みてなされたものであり、男女ともに一律の実名開示を行うことなくプロフィール情報や自己ＰＲ情報のみを異性の参加者に伝え、その上で自分が好感を持った異性の参加者に対してのみ任意に自己の実名を開示し、また、自己紹介を受けた側の参加者も、自分が好感を持って実名を開示してもよいと判断した相手方に対してのみ任意に自己の実名を開示することが可能な、異性交流パーティ用コミュニケーションカードセットを提供するものである。
【課題を解決するための手段】
【００１３】
前記課題を解決するため、本考案の請求項１に記載のコミュニケーションカードは、使用者が異性のパーティ参加者に提示するための自己紹介カードと、自己紹介を受けた異性のパーティ参加者に対して使用者が意思表示の手段として渡すための回答カードとからなり、前記自己紹介カードは、カード上部には使用者の識別番号を記入するための番号欄を、該番号欄の下部には使用者が氏名を除く自己の個人情報を記入するための情報記入欄とを有し、前記回答カードは、相手方に対する使用者の意識を少なくとも三段階の選択肢のいずれかを選択してマークすることにより表示できる回答欄と、前記使用者の識別番号を記入するための番号欄と、使用者が任意に自己の氏名を記入できる氏名記入欄とを有し、前記回答欄、番号欄、氏名記入欄を、カード上部から下部に向けて、回答欄・番号欄・氏名記入欄の順、又は番号欄・回答欄・氏名記入欄の順に配設したことを特徴とする。
【００１４】
前記自己紹介カードの情報記入欄は、そもそも氏名を記入する欄を設けていないため、異性交流パーティ開始後、ただちに本自己紹介カードを異性の参加者に提示しても自己の実名が明らかになることはなく、氏名を除く自己のプロフィール情報や自己ＰＲ情報だけを簡潔かつ比較容易な形で相手に伝えることができる。また、該自己紹介カードには、自己の識別番号を記入するための番号欄を設けてあるため、主催業者が事前に参加者全員に付与した男女別のユニークの識別番号を当該番号欄に記入し、参加者が当該識別番号を表示する表示手段を身に付けておけば、他の参加者は使用者の実名を知らずとも、開示された自己紹介カードから使用者とそのプロフィール情報や自己ＰＲ情報とを一致させて把握することが可能となる。なお、前記識別番号の表示手段としては、衣服の任意の箇所に装着できる一般的な番号札のほか、識別番号を明確に表示する形で身に付けておけるものであれば形態や大きさは問わない。
【００１５】
一方、前記回答カードの回答欄は、自己紹介をしてきた異性に対して、使用者が自分の相手に対する意識を伝えるために使用する欄であり、自由に文言を記入するいわゆるフリーアンサー方式も考えられるが、相手に対する好感度あるいは評価の程度を表現する既定の文言を少なくとも三段階に分けてあらかじめ主催業者が印刷しておき、使用者はそれらのいずれかを選択して印を付けるといった選択方式とする。フリーアンサー方式として任意に記入させた拒絶あるいは否定的な文言の表現が不適切であった場合、相手方の感情を傷つけるおそれがある。かかるおそれを防止するためには、あらかじめ用意された礼儀を踏まえた定型的な文言を使用者が選択できる選択方式が望ましい。また、前記番号欄は、多数の相手から回答カードを受領した相手方が、誰からどのような回答をもらったかを失念しないために識別番号で確認できるようにするための欄である。そして、前記氏名記入欄は、回答カードを渡す相手方に好感を持ち、使用者が自分の実名を明かしてもよいと判断した場合にのみ氏名を記入するための任意の記入欄である。回答カード上のこれら３つの欄の配列は、記入が使用者の任意である氏名記入欄については必ずカードの最下段に配設し、記入が必須である回答欄と番号欄は、それぞれカードの上段・中段、あるいは中段・上段のいずれかに配設するものとする。
【００１６】
本考案の請求項２に記載の考案は、請求項１記載の使用者自身のコミュニケーションカードと、他の参加者から渡された前記回答カードを投入して保持するための保持具とから構成されることを特徴とする。
【００１７】
異性交流パーティおいては、参加者が好感を抱いた異性の参加者に対して意思表示を行い、相手方も好感を表明した場合（いわゆる「意気投合」した場合）にカップルが成立する。ここで、パーティを盛り上げる演出上の目的で、あるいは、早い段階で一部の参加者にのみアプローチが集中して他の参加者が十分に意思表示を行えないためにパーティ全体の雰囲気が悪くなることを防ぐ目的で、パーティ開始後に主催業者が一定の交流タイムを設定し、その間はアプローチした相手方の回答の内容が分からないようにしておき、参加者が十分に交流できた後に、自分がアプローチした相手方の回答を確認するための確認タイムを取り、その時点で、互いに好感を表明し合った参加者同士のカップル成立が判明する、といった進行が行われることが多い。
【００１８】
本考案に係るコミュニケーションカードセットを用いて前記のようなパーティ進行を行う場合、まず、パーティの開始後、参加者は前記自己紹介カードを互いに提示し合う。次に、前記交流タイムの間に、参加者は自分が好感を抱いた異性の参加者にアプローチを行い、相手方からは前記回答カードを受け取ることになるが、この段階では相手方からの回答カードを前記保持具に順次投入することで、直ちには回答の内容を確認できない状態とすることができる。そして、パーティの進行とともに多くの異性の参加者から受け取った回答カードが保持具に蓄積され、前記確認タイムにおいて保持具内の回答カードの内容を確認した時点で初めて、自分の意中の異性との間でカップルが成立したか否かが判明するのである。
【００１９】
このため、前記保持具の構成は、投入された回答カードが前記確認タイムまでの間は使用者自身も外部から確認できず、かつ、パーティ開催中は常に使用者が身に付けておくことを可能とする必要があるため、たとえば紙等の不透明素材の袋に、使用者が常時首から懸吊して装着できるためのストラップ（紐）を取り付けたものが考えられるが、上記の使用目的を実現できる構成であれば必ずしもかかる構成に限らない。また、該保持具の表面に使用者の識別番号を分かりやすく表示しておけば、保持具自体が前記識別番号の表示手段を兼用できるため、別途番号札等を身につけておく必要もなくなり、合理的である。
【考案の効果】
【００２０】
請求項１に記載の自己紹介カードによれば、異性交流パーティにおいて使用者が異性の参加者に該自己紹介カードを手渡した場合に、実名を開示することなく自分を識別番号で相手に認識させ、自分のプロフィール情報と自己ＰＲを相手に伝えることができる。これにより、前述の氏名開示の男女間不均衡の問題を解決することができる。また、該自己紹介カードは所定事項の記入欄を埋めるだけで完成するため、使用者個人の対人アピール能力の差異に関わらず、該自己紹介カードを手渡すだけで最小限必要な情報を伝えることができ、いわゆる「口下手」あるいは「ひっこみ思案」の使用者であっても臆することなく自己紹介が可能となる。
【００２１】
また、同じく請求項１に記載の回答カードによれば、使用者は、好感を持った相手に対してのみ任意に自分の実名を伝えることができるため、安心して自己紹介を受けた相手に対して対応することが可能となり、前記自己紹介カードとの組み合わせにより、氏名開示の男女間不均衡の問題をより効果的に解決することができる。また、本回答カードによれば、自己紹介を受けた相手方に対する自分の意識や感想を、事前に用意された定型的な文言を選択して印を付けて回答カードを渡すだけで相手に伝えることができるため、口頭で、あるいは自分で文言を考えて記入する回答カードを渡して伝える方法に比べて、より気軽に対応することができる。特に、自分にアプローチしてきた異性の参加者に対して拒絶あるいは否定的な回答を伝えたい場合にも、定型の文言を選択することで婉曲に意思を伝えることができるため、不用意な言葉や文言を用いたことによって相手の感情を傷つけるおそれが小さくなり、安心して対応することが可能となる。
【００２２】
さらに、請求項２に記載の保持具に前述の自己紹介カード及び回答カードをセットして身に付けておき、また、異性の参加者から渡された自己紹介カード及び回答カードを順次保持具の中に投入しておくことで、カードの紛失を防げるだけでなく、パーティの進行に応じて必要なタイミングで自分のアプローチした異性からの回答を確認できるようになり、パーティの演出効果上有効である。
【考案を実施するための最良の形態】
【００２３】
以下に、本考案を実施するための実施手形態を複数の図表を用いて開示する。これらは実施例であるが、本考案の実施はこれらの実施形態に限定されるものではない。
【００２４】
表１は、請求項１記載の考案に係る自己紹介カードに設けるべき記入欄を例示した一覧表である。「氏名」記入欄をあえて設けず、必ず「識別番号」、「年齢」の記入欄を設けることが必要であるが、それら以外の事項についての記入欄を設けるか否かについては、該カードを用いる異性交流パーティの企画意図に応じて任意である。
【００２５】
【表１】
0003162554.tif 000012
【００２６】
「１）識別番号」は、主催業者から付与されたパーティ当日限りの使用者の番号の記入欄である。異性の参加者から自己紹介カードを渡された場合に相手方に渡す回答カードにも当該識別番号を記載する。
【００２７】
「２）年齢」は、本自己紹介カードに記入する個人情報のうち最も基本的かつ具体的な重要記載事項であるため、本欄が未記入の自己紹介カードは主催業者のチェックにより無効とされるべきものである。
【００２８】
「３）住所」及び「４）勤務地」は、使用者の意に沿わない異性により、後日具体的な住所や勤務先を特定されることを防ぐため、都道府県あるいは市町村レベルまでの記入に留めることが適切である。「５）出身地」は、使用者のプロフィール情報に過ぎないものであるため、やはり都道府県あるいは市町村レベルまでの記入に留めることが適切である。「６）家族構成」は、兄弟姉妹の有無や現在一人暮らしであるか否か等を記入する。「７）職業」は、使用者の職業又は職種、あるいは職業に係る国家資格等を記入する。以上までの事項は、使用者の基本的な属性を把握するための事項であるから、原則として必須記入事項とすることが望ましい。
【００２９】
「８）趣味」「９）性格」「１０）異性の好み」「１１）結婚願望」「１２）自己ＰＲ」の各事項は、任意的記入事項であるが、異性の参加者への自己アピールの上で、使用者が工夫をこらして記入すべき事項である。なお、「１０）異性の好み」については、たとえば「好きなタレント」を記入するようにしてもよい。
【００３０】
上述の通り、本自己紹介カードには、偽名防止と個人情報及びプライバシー保護の観点からあえて「氏名」欄を設けていないため、本自己紹介カードを手渡された相手方は、その時点では使用者の氏名を知ることはできず、氏名を開示するか否かは使用者の判断に任される。使用者が相手方に好感を持っており、当初から自分の氏名を開示してもよいと判断する場合は、本自己紹介カードを手渡す際かその後で、口頭あるいは後述の回答カードの氏名記入欄に氏名を記入して手渡すことにより、任意に自分の氏名を相手方に開示する。
【００３１】
なお、本自己紹介カードの実施の一例を示したのが図１及び図２である。図１は男性参加者用の、図２は女性参加者用の自己紹介カードの表面を表している。
【００３２】
表２は、同じく請求項１記載の考案に係る回答カードに表示すべき既定の文言及び設けるべき記入欄を例示した一覧表である。「回答」「識別番号」「氏名」の記入欄は必ず設けるが、「メッセージ」記入欄を設けるか否かについては、該カードを用いる異性交流パーティの企画意図に応じて任意である。
【００３３】
【表２】
0003162554.tif 000013
【００３４】
「１）回答」は、主催業者があらかじめ作成して表示した選択肢の文言のいずれか一つを使用者が選択して該当するものに印を記入する。使用者が相手方に対する意識や感想を自由な文言を記入して表示した場合、記入した文言の表現が不適切であると相手方の感情を傷つけるおそれがあるが、かかる定型文言を選択する方式を取ればそれを防止することができる。「２）メッセージ」は、使用者が自由な文言を記入することができる任意の記入欄であり、通常は、相手方に対する好印象や自己アピールを記入するために使用される。
【００３５】
「３）識別番号」は、主催業者から付与されたパーティ当日限りの使用者の番号の記入欄である。相手方に手渡した自己紹介カードに記載した識別番号と同じ番号を記入する。
【００３６】
「４）氏名」は、相手方に好感を持ち、かつ、使用者が自分の氏名を開示してもよいと判断した場合にのみ実名を記入する。
【００３７】
前述の通り、自己紹介カードにはあえて氏名記入欄を設けていないため、参加者は好感を持った異性の参加者に対して、本回答カードの氏名記入欄に自分の氏名を記入して手渡すことによって自分の氏名を開示することができる。また、好感を持てない相手に対しては氏名を記入せず、たとえば前述の選択肢３の文言に印のみを付けた本回答カードを手渡すことができる。この場合、自分の氏名を開示せず、かつ、相手の感情をいたずらに傷つけることなく否定的な意思表示をすることができる。
【００３８】
なお、本回答カードの実施の一例を示したのが図３及び図４である。図３は男性参加者用の、図４は女性参加者用の回答カードの表面を表しているが、本実施例の欄の配列は、請求項１に記載の回答カードの欄の２つの配列パターンのうち、カード上部から下部に向けて回答欄・番号欄・氏名記入欄の順に配設したものを示している。
【００３９】
図５は、請求項３記載の考案に係るコミュニケーションカードセットの保持具を示したものである。保持具本体１は、全体としての形状は不透明素材による平たい袋状で、第１ポケット２及び第２ポケット３の二つのポケットを有する。第１ポケット２はパーティで異性の参加者から手渡された自己紹介カード及び回答カードを投入しておくためのものであり、第２ポケット３は異性の参加者に渡すための記入済みあるいは記入前の自己紹介カード及び回答カードを保持しておくためのものである。保持具本体１の上端両隅には取付部５を設け、該取付部５にストラップ（紐）６の両端が取り付けられ、使用者は該ストラップ（紐）６を首に掛けることにより保持具本体１を懸吊し、パーティ参加中常時身に付けておくことができる。また、保持具本体１の表面には大きく識別番号４（「５」は識別番号５番を表す例示である。）を表示し、使用者は、主催業者から付与されたパーティ会場における自分の識別番号が表示された保持具を身に付けておくことで、異性の参加者は容易に使用者から渡された自己紹介カードに記入された識別番号で容易に使用者を識別することができ、別途番号札等を用いる必要もない。
【００４０】
保持具本体１は、ポケットを二つ設けずに単純な袋状のものであってもよいが、異性の参加者からすでに渡された自己紹介カードや回答カードと、これから自分が異性の参加者に渡すべき自己紹介カードや回答カードが保持具内で混在すると不便であるため、ポケットを二つ設けて分別することが望ましい。また、カード類を記入するためにボールペン等のクリップ付筆記具（図示せず）をいずれかのポケットに留めておけばより便利である。
【００４１】
また、異性交流パーティにおいては、主催業者は、事前に上記保持具の第２ポケットに必要数の自己紹介カード及び回答カードをセットしておき、参加者に該当する識別番号を付した保持具を手渡せばよいので、会場での受付時の対応も効率化できる。
【００４２】
なお、本考案に係る保持具の素材は、不透明素材であれば特に限定されず、紙製の袋に紐を取り付けたものでもよいが、反復再利用が可能な強度を備え、飲食物等が付着しても容易に拭き取れて清潔を保つことを可能とするために、ビニール素材等を用いることが好適である。
【産業上の利用可能性】
【００４３】
本考案によれば、異性交流パーティでの氏名開示の男女間不均衡の問題を解決し、かつ、パーティ参加者の個人情報開示に伴う安全性を高めることが可能となる。また、パーティ参加者個人の対人アピール力の差異に関わらず、機会の平等を実現しつつ効率的な自己紹介が可能となるため、異性交流パーティ全体の魅力を高め、健全で節度ある異性交流パーティビジネスの発展に資する。
【図面の簡単な説明】
【００４４】
【図１】本実施形態に係る自己紹介カードの一例（男性用）である。
【図２】本実施形態に係る自己紹介カードの一例（女性用）である。
【図３】本実施形態に係る回答カードの一例（男性用）である。
【図４】本実施形態に係る回答カードの一例（男性用）である。
【図５】本実施形態に係るコミュニケーションカードセットの保持具の一例である。
【符号の説明】
【００４５】
１  保持具本体
２  第１ポケット
３  第２ポケット
４  識別番号（「５」は例示である。）
５  取付部
６  ストラップ（紐）